(57)【要約】【課題】玉掛けワイヤーの強度を精度良く、かつ、容易に確認することができ、より安全に玉掛け作業を行うことのできる玉掛けワイヤーロープ試験装置を提供する。【解決手段】玉掛けワイヤーロープ試験装置１は、基台２と、この基台２に設けられて、玉掛けワイヤーロープＲの略中央部が係止するとともに、この略中央部で玉掛けワイヤーロープＲが折り返されるイコライザーシーブ４と、イコライザーシーブ４から所定間隔離れた位置に設けられて、折り返された玉掛けワイヤーロープＲの両端部が係止する第二係止部５１aと、玉掛けワイヤーロープＲの略中央部と両端部とを互いに引き離す方向に試験荷重をかける油圧シリンダ５及びジャッキ６とを備える。そして、玉掛け作業前に油圧シリンダ５及びジャッキ６によって、玉掛けワイヤーロープＲに試験荷重をかけて強度試験を行う。【選択図】図１
2005221424.tif 000002
【特許請求の範囲】
【請求項１】
基台と、
この基台に設けられて、玉掛けワイヤーロープの略中央部が係止するとともに、この略中央部で玉掛けワイヤーロープが折り返される第一係止部と、
前記第一係止部から所定間隔離れた位置に設けられて、折り返された玉掛けワイヤーロープの両端部が係止する第二係止部と、
玉掛けワイヤーロープの略中央部と両端部とを互いに引き離す方向に試験荷重をかける荷重手段とを備え、
玉掛け作業前に前記荷重手段によって、玉掛けワイヤーロープに試験荷重をかけて強度試験を行うことを特徴とする玉掛けワイヤーロープ試験装置。
【請求項２】
前記荷重手段が油圧シリンダとジャッキとを有することを特徴とする請求項１に記載の玉掛けワイヤーロープ試験装置。
【請求項３】
前記第一係止部は、前記基台上に略同一線上でかつ所定間隔で複数設けられていることを特徴とする請求項１又は２に記載の玉掛けワイヤーロープ試験装置。
【発明の詳細な説明】
【技術分野】
【０００１】
本発明は、作業前に玉掛けワイヤーロープの強度試験を行うための玉掛けワイヤーロープ試験装置に関する。
【背景技術】
【０００２】
クレーン作業等においてフック等の吊り具へ荷重を荷かけ・荷外しする作業に際して玉掛けワイヤーロープを使用している。このような玉掛けワイヤーロープは、従来より強度が高く、しかも径が小さく軽量な性能を有することが要求されており、玉掛けワイヤーロープ自体の性能の向上を図るため種々改良されている（例えば、特許文献１参照）。
ところで、上述のように性能の良好な玉掛けワイヤーロープを作ったとしても、始業前点検及び定期点検を実施することが必須とされており、これらの点検は全て玉掛け主任者等による安衛則やクレーン則等に基づいて目視点検により行われている。そして、その確認として玉掛けワイヤーロープに識別テーピングをしている。
【特許文献１】特開平５−１７１５８０号公報
【発明の開示】
【発明が解決しようとする課題】
【０００３】
しかしながら、上述のように目視点検では玉掛けワイヤーの強度を正確に点検することが困難であり、より安全に玉掛け作業を行うことが望まれている。
本発明は、上記事情に鑑みてなされたもので、玉掛けワイヤーの強度を精度良く、かつ、容易に確認することができ、より安全に玉掛け作業を行うことのできる玉掛けワイヤーロープ試験装置を提供することを目的としている。
【課題を解決するための手段】
【０００４】
上記課題を解決するため、請求項１の発明は、例えば、図１(a)、(b)に示すように、
基台２と、
この基台に設けられて、玉掛けワイヤーロープＲの略中央部が係止するとともに、この略中央部で玉掛けワイヤーロープが折り返される第一係止部（例えば、イコライザーシーブ４）と、
前記第一係止部から所定間隔離れた位置に設けられて、折り返された玉掛けワイヤーロープの両端部が係止する第二係止部５１aと、
玉掛けワイヤーロープの略中央部と両端部とを互いに引き離す方向に試験荷重をかける荷重手段とを備え、
玉掛け作業前に前記荷重手段によって、玉掛けワイヤーロープに試験荷重をかけて強度試験を行うことを特徴とする。
【０００５】
請求項１の発明によれば、基台と第一係止部と第二係止部と荷重手段とを備えているので、第一係止部に玉掛けワイヤーロープの略中央部が係止されてその略中央部で折り返されるとともに、両端部が第二係止部に係止され、荷重手段によって試験荷重がかけられることにより、従来のように玉掛け作業前に目視点検する場合に比べて、玉掛けワイヤーロープの強度を容易かつ正確に点検することができる。よって、玉掛け作業のより安全性を確保することができる。
【０００６】
請求項２の発明は、例えば、図１(a)、(b)に示すように、請求項１に記載の玉掛けワイヤーロープ試験装置１において、
前記荷重手段が油圧シリンダ５とジャッキ６とを有することを特徴とする。
【０００７】
請求項２の発明によれば、荷重手段が油圧シリンダとジャッキとを有するので、簡単な構成で容易に本発明の装置を製造することができ、また、コストを低減できる。
【０００８】
請求項３の発明は、例えば、図１(a)、(b)に示すように、請求項１又は２に記載の玉掛けワイヤーロープ試験装置において、
前記第一係止部は、前記基台上に略同一線上でかつ所定間隔で複数設けられていることを特徴とする。
【０００９】
請求項３の発明によれば、第一係止部が基台上に略同一線上でかつ所定間隔で複数設けられているので、これら複数の第一係止部のうち所定の第一係止部に玉掛けワイヤーロープを係止させることによって、玉掛けワイヤーロープの長さに応じた点検を容易に行うことができる。
【発明の効果】
【００１０】
本発明に係る玉掛けワイヤーロープ試験装置によれば、従来のように目視点検する場合に比べて、容易かつ正確に玉掛けワイヤーロープの強度を点検することができ、よって、玉掛け作業のより安全性を確保することが可能となる。
【発明を実施するための最良の形態】
【００１１】
以下、本発明の実施の形態について図１(a)、(b)を参照して説明する。
図１(a)は、本発明に係る玉掛けワイヤーロープ試験装置の平面図、図１(b)は玉掛けワイヤーロープ試験装置の側面図である。
図１(a)、(b)に示すように、本発明に係る玉掛けワイヤーロープ試験装置１は、長尺な基台２と、該基台２上において略中央部から一端部に向けて所定間隔で取り付けられた５つのシーブピン３と、これらシーブピン３に着脱可能に嵌め込まれるイコライザーシーブ４（第一係止部）と、基台２上で、略中央部から他端部の間に取り付けられた油圧シリンダ５と、この油圧シリンダ５に加圧する横ジャッキ６とを備えている。
【００１２】
イコライザーシーブ４の外周には玉掛けワイヤーロープＲの略中央部が係止するとともに、その略中央部で玉掛けワイヤーロープＲが折り返されている。なお、図中、イコライザーシーブ４は一番右側に位置するシーブピン３に嵌め込まれている。
また、折り返された玉掛けワイヤーロープＲは、その両端部が油圧シリンダ５のピストン５１の端部で、基台２の短手方向に延びる２つの第二係止部５１aにそれぞれ係止されている。
【００１３】
また、基台２の一方の側面には固定金具６１によって横ジャッキ６が取り付けられている。
なお、本実施の形態におけるシーブピン３の径は約６０φ、イコライザーシーブ４の径は約３５０φとされている。
【００１４】
次に、以上のように構成された本発明に係る玉掛けワイヤーロープ試験装置１の作用について説明する。
まず、玉掛けワイヤーロープＲの長さに合わせて複数のシーブピン３のうちの所定のシーブピン３にイコライザーシーブ４を嵌め込んでセットしておく。そして、油圧シリンダ５はピストン５１を図１中の点線部分に示すように縮めておき、イコライザーシーブ４に玉掛けワイヤーロープＲの略中央部を係止させるとともに折り返して、玉掛けワイヤーロープＲの一端部及び他端部をピストン５１の第二係止部５１aにそれぞれ係止させる。
次いで、横ジャッキ６を伸ばして、予め玉掛けワイヤーロープＲの径に応じて規定された試験荷重（後述する表１に記載）まで油圧ゲージにより加圧し、加圧した玉掛けワイヤーロープＲに異常の有無を確認する。そして、異常の無いものを使用して玉掛け作業を行うこととする。
【００１５】
なお、ここで言う試験荷重とは、予め、玉掛けワイヤーロープＲの径に応じて同様に荷重をかけていき、玉掛けワイヤーロープＲに破断が生じる荷重を破断荷重、この破断荷重の１／６倍の荷重を安全荷重と規定した場合に、安全荷重の１．１倍の荷重のことを意味する。表１にはロープ径と各荷重との関係を示している。したがって、この表１に基づいて試験荷重をかけることによって簡単に強度試験を行うことが可能である。
【表１】
2005221424.tif 000003
【００１６】
また、本実施の形態の装置１において試験する場合、玉掛けワイヤーロープＲはその長さが約２６００ｍｍ〜６６００ｍｍの範囲であることが好ましいが、例えば２６００ｍｍ以下の場合でも補助ワイヤーとシャックルとを使用することによって試験することが可能となる。
【００１７】
以上、本発明の実施の形態に係る玉掛けワイヤーロープ試験装置１によれば、イコライザーシーブ４に玉掛けワイヤーロープＲの略中央部を係止して折り返すとともに、その両端部を第二係止部５１aに係止し、油圧シリンダ５及び横ジャッキ６によって試験荷重をかけることにより、従来のように目視点検する場合に比べて、玉掛けワイヤーロープＲの強度を容易かつ正確に点検することができ、玉掛け作業のより安全性を確保することができる。
また、荷重手段を油圧シリンダ５と横ジャッキ６とから構成することによって、簡単な構成で容易に製造でき、コスト低減を図れる。
さらに、イコライザーシーブ４を複数のシーブピン３のうちから所定のシーブピン３に嵌め込んで試験することにより、玉掛けワイヤーロープＲの長さに応じた点検を容易に行うことができる。
また、本発明の装置１を用いて使用中の玉掛けワイヤーロープＲを実際に荷重試験すれば、ロープ本体やアイスプライス、鉛圧縮止めの箇所も同時に点検することができ、安心して使用することもできる。
【００１８】
なお、本発明は上記実施の形態に限定されるものではなく、その要旨を逸脱しない範囲で適宜変更可能なものとする。例えば、上記実施の形態においてシーブピン３の個数等は適宜変更しても構わない。
【図面の簡単な説明】
【００１９】
【図１】本発明の実施の形態の一例を示すためのもので、(a)は玉掛けワイヤーロープ試験装置の平面図であり、(b)は玉掛けワイヤーロープ試験装置の側面図である。
【符号の説明】
【００２０】
１  玉掛けワイヤーロープ試験装置
２  基台
４  イコライザーシーブ（第一係止部）
５  油圧シリンダ
６  ジャッキ
５１a  第二係止部
【図１】
2005221424.tif 000004